(57)【要約】      【課題】  冷え性女性は、企業で掃除その他の体を使って働く仕事は我慢出来るものと思うが、椅子に座って、机の下に足を入れて長く時間が経過すると、寒さで極めて苦痛であり、この原因によって体調を崩す原因にもなる。座ったままで、足元を暖かくする事が出来る足元保温用具を提供する 。【手段】正面から見て、ダンボールで、屏風（びょうぶ）状の形状にした足元保温用具本体を用いて、机の下に入れて椅子に座った状態で足元の周囲を囲むことにより、寒さを防ぐようにした。足元保温用具本体の上部には、横状にゴムを貼り付け、暖房の布を掛けても滑り辛いようにして、また下部には、逆に横状に合成樹脂を足元保温用具本体が滑って移動し易い構造にした。暖房の布を、足元保温用具本体と足に被せるようにして使用する事を特徴とする。【選択図】図６
2017192547.tif 000002
【特許請求の範囲】
【請求項１】
正面から見て、ダンボール又は合成樹脂で、屏風（びょうぶ）状の形状にした足元保温用具本体（１）を用いて、机の下に入れて椅子に座った状態で足元の周囲を囲むことにより、寒さを防ぐようにして、足元保温用具本体（１）の上部には、横状にゴム（１）を設けて、暖房の布（２）を掛けても、滑り辛いようにして、また下部には、逆に横状に合成樹脂（１−３）を足元保温用具本体（１）が滑って移動し易い構造にして、暖房の布（２）は、線ファスナー（１−１）を設けている方を上にして、足元保温用具本体（１）と足に被せるようにして使用する事を特徴とする足元保温用具。
【発明の詳細な説明】
【技術分野】
【０００１】
本発明は、椅子に座りながら机の下に自分の足を入れて長時間仕事をすると、冷え性の人は大変困難な生活をしなくてはならないが、それをカバーするための足元保温用具に関する。
【背景技術】
【０００２】
従来、事務用スチール机は昔から使用して来たが構造上大きな変化はない。
夏は余り問題がないが、冬期間は机の下に両足を入れて事務処理等を行うと冷え性の人は耐えがたい辛さがあり、健康維持に問題がある。
特許文献１．特開２０１４−１３３９６６号公報 ［発明の名称  足の冷えカバー］に記載があるが構造の違いが大きい。
特許文献２．特開２０１１−２２６０１７号公報［発明の名称  保温カバー］は袋状のカバーの中に脚を入れて保温するものであり、出入りに不便である。
特許文献３および特許文献４は、共に机の天井部分に用具を取り付け膝掛を吊るすものであり、床に置くものではない。
【先行技術文献】
【特許文献】
【０００３】
【特許文献１】特開２０１４−１３３９６６号公報
【特許文献２】特開２０１１−２２６０１７号公報
【特許文献３】特開２００２−０６１０１０号公報
【特許文献４】再表２００７−１１０９３２号公報
【発明の概要】
【発明が解決しようとする課題】
【０００４】
冷え性の女性は、企業で掃除その他の体を使って働く仕事は我慢出来るものと思うが、椅子に座って、机の下に足を入れて長時間経過すると、寒さで極めて苦痛であり、この原因によって体調を崩す原因にもなる。
座ったままで、足元を暖かくする方法が必要であり、これらは何とか解決しなければならない課題である。
【課題を解決するための手段】
【０００５】
課題を解決するために本発明は，以下の構成とした。
正面から見て、ダンボール又は合成樹脂で、屏風（びょうぶ）状の形状にした足元保温用具本体（１）を用いて、机の下に入れて椅子に座った状態で足元の周囲を囲むことにより、寒さを防ぐようにした。
【０００６】
屏風（びょうぶ）状の形状の足元保温用具本体（１）の上部には、横状にゴム（１）を貼り付け、暖房の布（２）を掛けても滑り辛いようにして、また下部には、逆に横状に合成樹脂（１−３）を足元保温用具本体（１）が滑って移動し易い構造にした。
【０００７】
暖房の布（２）を平面から見て線ファスナー（１−１）を設けている方を上にして、足元保温用具本体（１）と足に被せるようにして使用する。
【発明の効果】
【０００８】
（１）足元が寒い時は、暖房の布（２）を上にして、足元保温用具本体（１）に被せるようにして使用するため、足元が冷えない。
（２）不必要な時には、屏風状のため畳んでかたづけるのは簡単である。
（３）暖房の布は、線ファスナーを設けてあるため、ファスナーを閉じて頭に被りその他の布は、体を被い簡単に外出する事は容易である。
【図面の簡単な説明】
【０００９】
【図１】屏風型足元保温用具本体正面図
【図２】屏風型足元保温用具本体平面図
【図３】暖房布平面図
【図４】暖房布の上部を線ファスナーで閉じた平面図
【図５】暖房布の上部を線ファスナーで閉じて下部をホックでとめた平面図
【図６】屏風型足元保温用具本体に足をいれて、暖房布を掛けた斜視図
【発明を実施するための形態】
【００１０】
以下，本発明を実施するための最良の形態について説明する。
課題を解決するために本発明は，以下の構成とした。
正面から見て、ダンボール又は合成樹脂で、屏風（びょうぶ）状の形状にした足元保温用具本体（１）を用いて、机の下に入れて椅子に座った状態で、屏風の中央を脚の前面に、左右両サイドを脚の側面にくるように曲げて立て、足元の周囲を囲むことにより、寒さを防ぐようにした。
寒さを防ぐには、色々な方法があるが、机の下で椅子に座って業務中には見苦しい対策は出来ない。
【００１１】
屏風（びょうぶ）状の形状の足元保温用具本体（１）の上部には、横状にゴム（１）を貼り付け、暖房の布（２）を掛けても滑り辛いようにして、また下部には、逆に横状に合成樹脂（１−３）設け、足元保温用具本体（１）が滑って移動し易い構造にした。
また、業務上素早く立ちあがって、何ら平常と変わらぬ状態でなければならない。
【００１２】
暖房の布（２）を平面から見て線ファスナー（１−１）を設けている方を上にして、足元保温用具本体（１）と足に被せるようにして使用する。
また、暖房の布（２）は、頭巾風に出来ているため緊急防災避難用に使用する事も出来る。
暖房の布（２）は、寒いときに服の上に着て外に出ることもできる。
【００１３】
足元保温用具本体（１）の素材は、ダンボールから合成樹脂に変えて行う事が出来る。
【符号の説明】
【００１４】
１．    足元保温用具本体
１−１．たたみ目
１−２．ゴム
１−３．合成樹脂
２．    暖房の布
２−１．線ファスナー
２−２．ホック
【図１】
2017192547.tif 000003
【図２】
2017192547.tif 000004
【図３】
2017192547.tif 000005
【図４】
2017192547.tif 000006
【図５】
2017192547.tif 000007
【図６】
2017192547.tif 000008
【手続補正書】
【提出日】平成28年8月31日(2016.8.31)
【手続補正１】
【補正対象書類名】特許請求の範囲
【補正対象項目名】全文
【補正方法】変更
【補正の内容】
【特許請求の範囲】
【請求項１】
正面から見て、ダンボール又は合成樹脂で、屏風（びょうぶ）状の形状にした足元保
温用具本体（１）を用いて、机の下に入れて椅子に座った状態で足元の周囲を囲むこ
とにより、寒さを防ぐようにして、足元保温用具本体（１）の上部には、横状にゴム
（１−２）を設けて、暖房の布（２）を掛けても、滑り辛いようにして、また下部
には、逆に横状に合成樹脂（１−３）を足元保温用具本体（１）が滑って移動し易い
構造にして、暖房の布（２）を、足元保温用具本体（１）と、足に被せるようにして
使用する事を特徴とする足元保温用具。
【手続補正２】
【補正対象書類名】明細書
【補正対象項目名】０００６
【補正方法】変更
【補正の内容】
【０００６】
屏風（びょうぶ）状の形状の足元保温用具本体（１）の上部には、横状にゴム
（１−２）を貼り付け、暖房の布（２）を掛けても滑り辛いようにして、また下部に
は、逆に横状に合成樹脂（１−３）を足元保温用具本体（１）が滑って移動し易い構
造にした。
【手続補正３】
【補正対象書類名】明細書
【補正対象項目名】０００７
【補正方法】変更
【補正の内容】
【０００７】
暖房の布（２）を足元保温用具本体（１）と足に被せるようにして使用する。
【手続補正４】
【補正対象書類名】明細書
【補正対象項目名】００１１
【補正方法】変更
【補正の内容】
【００１１】
屏風（びょうぶ）状の形状の足元保温用具本体（１）の上部には、横状にゴム
（１−２）を貼り付け、暖房の布（２）を掛けても滑り辛いようにして、また下部に
は、逆に横状に合成樹脂（１−３）設け、足元保温用具本体（１）が滑って移動し易
い構造にした。
また、業務上素早く立ちあがって、何ら平常と変わらぬ状態でなければならない。
【手続補正５】
【補正対象書類名】明細書
【補正対象項目名】００１２
【補正方法】変更
【補正の内容】
【００１２】
暖房の布（２）を、足元保温用具本体（１）と足に被せるようにして使用する。
また、暖房の布（２）は、頭巾風に出来ているため緊急防災避難用に使用する事も
出来る。
暖房の布（２）は、寒いときに服の上に着て外に出ることもできる。